(57)【要約】【課題】  粒子捕捉手段で捕捉した粒子の高濃度化の効果を減殺することなく、粒子センサの正確なキャリブレーションを行うに十分な時間を確保できるセンサ配置位置を実現する。また、流速に依存しない出力値を得る。【解決手段】  流体が流れる配管１５の近傍または内部に第１粒子捕捉手段を設け、流れの方向１６の下流側の配管１５の近傍または内部に粒子センサ１２および第２粒子捕捉手段２８を配置する。第１粒子捕捉手段１１によって流体内に存在する粒子１７を所定時間捕捉し、これを解放すると共に第２粒子捕捉手段２８による粒子１７の捕捉を開始する。その後、粒子センサ１２のキャリブレーションを実行し、観測領域１８に到達した粒子１７の数量を粒子センサ１２で計量する。【選択図】    図４
2006118890.tif 000002
【特許請求の範囲】
【請求項１】
所定方向への流れを有する液体または気体内に存在する粒子の数または量を測定する粒子計量システムであって、
前記流れに抗して前記粒子を一定時間捕捉するとともに所定のタイミングで前記粒子の捕捉を解放する第１の粒子捕捉手段と、
前記第１の粒子捕捉手段が配置されている位置よりも前記流れの下流位置に配置され、その観測領域にある前記粒子の数または量に応じた出力値を得る粒子センサと、
を有する粒子計量システム。
【請求項２】
前記粒子センサの前記観測領域を含む領域に前記粒子を捕捉する第２の粒子捕捉手段をさらに有する請求項１記載の粒子計量システム。
【請求項３】
前記第１の粒子捕捉手段が前記粒子を解放した後に、解放された前記粒子が前記観測領域に到達するまでの時間が、前記粒子センサをキャリブレーションするに必要な時間以上であるよう前記粒子センサを前記第１の粒子捕捉手段から離して配置する請求項２記載の粒子計量システム。
【請求項４】
前記粒子には磁性体を含み、前記粒子の捕捉を、磁力を利用して行う請求項１〜３の何れか一項に記載の粒子計量システム。
【請求項５】
前記粒子に電荷を付与する電荷付与手段をさらに含み、前記粒子の捕捉を、静電力を利用して行う請求項１〜３の何れか一項に記載の粒子計量システム。
【請求項６】
前記粒子の捕捉を、前記流れを構成する物質を透過し前記粒子の透過を阻害する濾過手段により行い、前記捕捉の解放を、前記濾過手段の前記流れに対する方向を反転することにより行う請求項１〜３の何れか一項に記載の粒子計量システム。
【請求項７】
前記粒子の捕捉を、前記粒子を選択的に吸着する吸着材により行い、前記捕捉の解放を、前記吸着材を加熱することにより行う請求項１〜３の何れか一項に記載の粒子計量システム。
【請求項８】
前記粒子には導電体または半導体を含み、前記粒子センサには誘導素子を含み、前記誘導素子または励磁用誘導素子によって発生させた外部交流磁界による前記導電体または半導体内部の渦電流に起因する前記誘導素子のインダクタンス変化によって、前記粒子の数または量を計測する請求項１〜７の何れか一項に記載の粒子計量システム。
【請求項９】
前記粒子には磁性体を含み、前記粒子センサには磁界を発生する磁界発生手段と、ホール素子とを含み、前記ホール素子が検知する磁界の変動によって、前記粒子の数または量を計測する請求項１〜７の何れか一項に記載の粒子計量システム。
【請求項１０】
前記粒子には誘電体を含み、前記粒子センサには容量素子を含み、前記容量素子のキャパシタンスの変化によって、前記粒子の数または量を計測する請求項１〜７の何れか一項に記載の粒子計量システム。
【請求項１１】
前記粒子センサには、レーザー光発生手段と、前記レーザー光が前記粒子によって散乱された散乱光強度を測定する手段とを有し、前記散乱光強度によって、前記粒子の数または量を計測する請求項１〜７の何れか一項に記載の粒子計量システム。
【請求項１２】
前記粒子がガス状分子であり、前記粒子センサが、前記ガス状分子の数または濃度を計測するガスセンサである請求項１〜７の何れか一項に記載の粒子計量システム。
【請求項１３】
所定方向への流れを有する液体または気体内に存在する粒子の数または量を測定し、前記流れに抗して前記粒子を一定時間捕捉するとともに所定のタイミングで前記粒子の捕捉を解放する第１の粒子捕捉手段と、前記第１の粒子捕捉手段が配置されている位置よりも前記流れの下流位置に配置されその観測領域にある前記粒子の数または量に応じた出力値を得る粒子センサと、を有する粒子計量システムを用いた粒子計量方法であって、
前記第１の粒子捕捉手段により、所定の捕捉時間の間前記粒子を捕捉するステップと、
捕捉された前記粒子を解放するステップと、
前記粒子の解放の後に、前記粒子センサのキャリブレーションを実行するステップと、
前記粒子センサによる測定を開始するステップと、
を有する粒子計量方法。
【請求項１４】
前記粒子計量システムには、前記粒子センサの前記観測領域を含む領域に前記粒子を捕捉する第２の粒子捕捉手段を含み、
前記第１の粒子捕捉手段による前記粒子の捕捉中または捕捉された前記粒子の解放後であって前記粒子センサのキャリブレーション前に、前記第２の粒子捕捉手段による前記粒子の捕捉を開始するステップを有する請求項１３記載の粒子計量方法。
【請求項１５】
前記粒子センサの出力値が所定の閾値以上である場合には、前記出力値または前記出力値から計算された値を表示するステップと、
前記粒子センサの出力値が前記所定の閾値未満である場合には、前記捕捉時間をより長く変更し、前記第１の粒子捕捉手段による前記粒子の捕捉からの一連の前記ステップを繰り返すステップと、
を有する請求項１３または１４記載の粒子計量方法。
【請求項１６】
前記捕捉時間が所定の閾値以上である場合、前記粒子を検出できないと判断する請求項１５記載の粒子計量方法。
【請求項１７】
その内部に流体が流れる配管を有するプラントにおける前記配管または前記プラントの反応槽の劣化を検知するプラント劣化検知システムであって、
前記配管の外部に配置され、前記流体の流れに抗して前記配管または前記プラントの反応槽を構成する材料または前記材料の化合物からなる粒子を一定時間捕捉するとともに所定のタイミングで前記粒子の捕捉を解放する第１の粒子捕捉手段と、
前記第１の粒子捕捉手段が配置されている位置よりも前記流れの下流位置であって前記配管の外部に配置される、その観測領域にある前記粒子の数または量に応じた出力値を得る粒子センサと、
を有するプラント劣化検知システム。
【請求項１８】
前記粒子センサの前記観測領域を含む領域に前記粒子を捕捉する第２の粒子捕捉手段をさらに有する請求項１７記載のプラント劣化検知システム。
【請求項１９】
前記第１の粒子捕捉手段が前記粒子を解放した後に、解放された前記粒子が前記観測領域に到達するまでの時間が、前記粒子センサをキャリブレーションするに必要な時間以上であるよう前記粒子センサを前記第１の粒子捕捉手段から離して配置する請求項１８記載のプラント劣化検知システム。
【請求項２０】
前記粒子が磁性体であり、前記粒子の捕捉を、磁力を利用して行う請求項１７〜１９の何れか一項に記載のプラント劣化検知システム。
【請求項２１】
前記粒子に電荷を付与する電荷付与手段をさらに含み、前記粒子の捕捉を、静電力を利用して請求項１７〜１９の何れか一項に記載のプラント劣化検知システム。
【請求項２２】
前記粒子の捕捉を、前記流れを構成する物質を透過し前記粒子の透過を阻害する濾過手段により行い、前記捕捉の解放を、前記濾過手段の前記流れに対する方向を反転することにより行う請求項１７〜１９の何れか一項に記載のプラント劣化検知システム。
【請求項２３】
前記粒子の捕捉を、前記粒子を選択的に吸着する吸着材により行い、前記捕捉の解放を、前記吸着材を加熱することにより行う請求項１７〜１９の何れか一項に記載のプラント劣化検知システム。
【請求項２４】
前記粒子が導電体または半導体であり、前記粒子センサには誘導素子を含み、前記誘導素子または励磁用誘導素子によって発生させた外部交流磁界による前記粒子内部の渦電流に起因する前記誘導素子のインダクタンス変化によって、前記粒子センサの出力値を得る請求項１７〜２３の何れか一項に記載のプラント劣化検知システム。
【請求項２５】
前記粒子が磁性体であり、前記粒子センサには磁界を発生する磁界発生手段と、ホール素子とを含み、前記ホール素子が検知する磁界の変動によって、前記粒子センサの出力値を得る請求項１７〜２３の何れか一項に記載のプラント劣化検知システム。
【請求項２６】
前記粒子が前記流体を構成する材料の誘電率とは相違する誘電率を有する材料からなり、前記粒子センサには容量素子を含み、前記容量素子のキャパシタンスの変化によって、前記粒子センサの出力値を得る請求項１７〜２３の何れか一項に記載のプラント劣化検知システム。
【請求項２７】
前記粒子センサには、レーザー光発生手段と、前記レーザー光が前記粒子によって散乱された散乱光強度を測定する手段とを有し、前記散乱光強度によって、前記粒子センサの出力値を得る請求項１７〜２３の何れか一項に記載のプラント劣化検知システム。
【請求項２８】
前記粒子がガス状分子であり、前記粒子センサが、前記ガス状分子の数または濃度を計測するガスセンサである請求項１７〜２３の何れか一項に記載のプラント劣化検知システム。
【請求項２９】
その内部に流体が流れる配管を有するプラントにおける前記配管または前記プラントの反応槽の劣化を検知し、前記配管の外部に配置され、前記流体の流れに抗して前記配管または前記プラントの反応槽を構成する材料または前記材料の化合物からなる粒子を一定時間捕捉するとともに所定のタイミングで前記粒子の捕捉を解放する第１の粒子捕捉手段と、前記第１の粒子捕捉手段が配置されている位置よりも前記流れの下流位置であって前記配管の外部に配置される、その観測領域にある前記粒子の数または量に応じた出力値を得る粒子センサと、を有するプラント劣化検知システムを利用したプラント劣化検知方法であって、
前記第１の粒子捕捉手段により、所定の捕捉時間の間前記粒子を捕捉するステップと、
捕捉された前記粒子を解放するステップと、
前記粒子の解放の後に、前記粒子センサのキャリブレーションを実行するステップと、
前記粒子センサによる測定を開始するステップと、
を有するプラント劣化検知方法。
【請求項３０】
前記プラント劣化検知システムには、前記粒子センサの前記観測領域を含む領域に前記粒子を捕捉する第２の粒子捕捉手段を含み、
前記第１の粒子捕捉手段による前記粒子の捕捉中または捕捉された前記粒子の解放後であって前記粒子センサのキャリブレーション前に、前記第２の粒子捕捉手段による前記粒子の捕捉を開始するステップを有する請求項２９記載のプラント劣化検知方法。
【請求項３１】
前記粒子センサの出力値が所定の閾値以上である場合には、前記出力値または前記出力値から計算された値を表示するステップと、
前記粒子センサの出力値が前記所定の閾値未満である場合には、前記捕捉時間をより長く変更し、前記第１の粒子捕捉手段による前記粒子の捕捉からの一連の前記ステップを繰り返すステップと、
を有する請求項２９または３０記載のプラント劣化検知方法。
【請求項３２】
前記粒子センサの出力値が所定の第２閾値以上になった場合、警報を発するステップを有する請求項２９または３０記載のプラント劣化検知方法。
【発明の詳細な説明】
【技術分野】
【０００１】
本発明は、流体（気体または液体）内に存在する粒子の数量を計量する技術に関する。特に、流体内の粒子濃度が極めて低い超低濃度状態の粒子計量に適用して好適なものである。また、これら粒子計量技術を応用してプラント等における配管や反応槽の劣化状態をモニタするモニタリング技術に関する。
【背景技術】
【０００２】
液体内の粒子量を計量したい要請は多岐に渡る。たとえば、内燃機関におけるエンジンオイル内にはピストンとピストンリングとの摩擦によって発生する金属粉が混入する。この金属粉の量はエンジンの劣化状態を示す指標として利用できるし、また、エンジンオイルの交換時期を示す指標にもなる。このようなエンジンオイル内の金属粉量を計測できれば、エンジンの過度な劣化を防止し、適正なオイル交換時期を知ることができる。
【０００３】
また、たとえば原子炉等のプラントにおいて、その劣化状態を知ることは極めて重要である。プラントにおける劣化モードは多数存在し、一概にその劣化度合いを論ずることはできないが、たとえば長期間の使用により配管の肉厚が減少するような劣化の場合には、削れた配管材料が冷却水等配管内を流れる流体内に混在しているはずであり、この流体内の研削物の量をモニタできればプラントの劣化状態を知ることができる。
【０００４】
しかし、これら流体内の粒子量をモニタすることは容易ではない。これら流体内の粒子は、正常稼動状態においては理想的には存在しない異物であり、存在したとしても極めて微量なものだからである。また、内燃機関、プラント等に異常を来たした後に粒子（異物）を検知したとしてもその目的を達することはできないので、正常稼動状態における異物量がごく僅か増加したことを検知する必要がある。本来微量である異物のごく僅かな増加を検知する必要があることからその困難性は極めて高いことは容易に推察できるであろう。
【０００５】
微量な異物検出の可否は、検出装置（センサ）の感度に依存する。微量検出の要請からセンサには高い感度が要求される。ところが、センサ感度を向上すると、一般的にセンサのドリフトが問題になり、また、ノイズ耐性が低下する問題がある。たとえば、特許文献１に記載のような、励磁電流によって電磁石化される検出用コイルヘッドと検出用コイルヘッドに励磁電流を供給する発振同調回路とを備え、検出用コイルヘッドをエンジンオイル中の金属粉を吸着するよう構成し、発振同調回路によって吸着金属粉の量に応じた検出用コイルヘッドのインダクタンス値を計測する方式のオイルチェックセンサにおいては、やはりセンサベースラインの変動（ドリフト）が問題となり、高精度な異物（粒子）濃度の検出は困難である。
【特許文献１】特開２０００−３２１２４８
【０００６】
上記のような問題に鑑み、本発明者らのグループは、低濃度異物（金属粉）の検出が可能な異物検出システムの発明（以下「先行発明」という）を為し、本願と同一の出願人によって特願２００４−４１７６６号として特定される特許出願（以下「先行出願」という）をした。上記先行発明は、異物を一定時間捕捉してその領域における異物濃度を高め、その捕捉を解放した時点での異物濃度を計測することによって低濃度異物の検知を行おうとするものである。ここで先行発明では、異物捕捉手段とセンサとを位置的に分離し、異物捕捉手段によって異物を捕捉している段階ではセンサの観測領域には異物は存在しないようにする。よって、センサはその観測直前にキャリブレーションを行うことが可能になり、ベースラインの変動（ドリフト）の影響を取り除くことができる。このような先行発明により、本来低濃度な異物であっても異物捕捉手段によって濃度を高めることができ、かつ、測定直前のキャリブレーションによってベースライン変動の影響を取り除くことが可能となり、極めて低濃度な異物を高精度に測定することができるようになる。
【発明の開示】
【発明が解決しようとする課題】
【０００７】
ところが、先行発明には、さらなる改善の余地があることを本発明者らは認識した。すなわち、先行発明においては、センサで異物検出を行う前に異物捕捉手段によって異物濃度を高め、かつ、センサのキャリブレーションを行うが故に高精度な異物検出が可能になる。ここで注意を要するのは、センサのキャリブレーションは、異物捕捉手段による異物の解放が行われた後に実行する必要があることである。つまり、キャリブレーションと測定との間に異物の解放操作が介在すると、その解放操作に起因するノイズが発生し、センサ出力にノイズの影響が混入してしまうためである。従って、異物解放の後にキャリブレーションを実行しようとすると、キャリブレーションの時点ではセンサの観測領域に異物があってはいけないあるいは極めて少ない必要があることから、異物捕捉手段をセンサ観測領域から十分離れた位置に配置する必要がある。
【０００８】
しかしながら、異物捕捉手段をセンサの観測領域からキャリブレーションに必要な時間を確保するに十分な距離だけ離して設置すると、折角集めた異物がセンサ観測領域に移動するまでの間に拡散してしまい、濃度を高めた効果が減殺されてしまう。つまり、異物濃度を高めた効果を得ようとすれば、センサ観測領域を異物捕捉領域にできる限り近づける必要があるが、そうするとキャリブレーションの確度が低下してしまう（ある程度の異物が観測領域に到達してしまう）。すなわち、異物の高濃度化とキャリブレーションの確度とはトレードオフの関係にある問題がある。
【０００９】
上記のような問題があっても、先行出願に係る先行発明がキャリブレーションの確度の範囲内で粒子計量に供することが可能なことはもとよりである。しかし、先行発明の構成では、捕捉により濃縮した粒子の計量は、観測領域に到達した段階での粒子濃度を反映して測定することになるから、測定値は、捕捉粒子の解放から観測領域に到達するまでの間に拡散した度合いを大きく反映することになる。つまり、拡散の度合いは、粒子解放から観測領域に到達するまでの時間に依存し、観測領域に粒子（群）が到達するまでの時間は粒子が存在する流体の流速に依存する。つまり、先行発明では、粒子が存在する流体の流速が変化すると出力値が大きく変動する問題がある。
【００１０】
本発明の目的は、異物捕捉手段で捕捉した異物の高濃度化の効果を減殺することなく、正確なキャリブレーションを行うに十分な時間を確保できるセンサ配置位置を実現できる先行発明類似の粒子計量手法を提供することにある。また、粒子が存在する流体の流速に依存しない出力値を得ることができる先行発明類似の粒子計量手法を提供することにある。本発明の他の目的は、先行発明では、異物として磁性体を前提としていたところ、これをあらゆる材料からなる粒子に適用可能とする技術を提供することにある。本発明のさらに他の目的は、本明細書で提示する粒子計量についての技術をプラント等の劣化検知に適用し、極めて早い段階で劣化を高精度に検知できるシステムおよび方法を提供することにある。
【課題を解決するための手段】
【００１１】
本明細書で開示する発明は、以下の通りである。すなわち、本発明の粒子計量システムは、所定方向への流れを有する液体または気体内に存在する粒子の数または量を非接触で測定する粒子計量システムであって、前記流れに抗して前記粒子を一定時間捕捉するとともに所定のタイミングで前記粒子の捕捉を解放する第１の粒子捕捉手段と、前記第１の粒子捕捉手段が配置されている位置よりも前記流れの下流位置に配置され、その観測領域にある前記粒子の数または量に応じた出力値を得る粒子センサと、を有する。このような粒子計量システムによれば、第１の粒子捕捉手段で粒子濃度を高め、流れの下流に位置する粒子センサによって粒子の数量を計量できる。言葉を変えて言えば、第１の粒子捕捉手段によって粒子濃度を高めることは、一定時間の粒子の捕捉によって実現できるのであるから、測定にかかる時間を長くして測定の感度を高めていることに相当する。つまり、本発明が基礎とする測定手法は、時間の次元を粒子数（粒子密度）の次元に変換する次元変換の概念を利用し、いわば時間積分によって測定感度を向上するようにしているといえる。従って、本発明によれば、極めて濃度の低い粒子の濃度測定を正確に行うことが可能になる。
【００１２】
なお、ここで、前記粒子センサの前記観測領域を含む領域に前記粒子を捕捉する第２の粒子捕捉手段をさらに有することができる。第２の粒子捕捉手段を備えることにより、第１の粒子捕捉手段で高濃度化した粒子が粒子センサの観測領域に到達するまでの間に拡散しても再度観測領域において粒子の濃度を高めることができる。この結果、粒子センサを第１の粒子捕捉手段から十分に離して配置することが可能になり、粒子センサのキャリブレーションを安定かつ正確に行うことができる。つまり、本願発明を別の観点から捉えると、前記第１の粒子捕捉手段が前記粒子を解放した後に、解放された前記粒子が前記観測領域に到達するまでの時間が、前記粒子センサをキャリブレーションするに必要な時間以上であるよう前記粒子センサを前記第１の粒子捕捉手段から離して配置する粒子計量システムとすることができる。なお、本明細書において「キャリブレーション」は、センサ出力が０である（センサの観測領域に粒子が存在しない）と推定できるときの出力を「０」として出力補正（ゼロ点校正）を行うことを意味する。ゼロ点校正の方法には各種の手法が存在し、たとえば、キャリブレーション実行時のセンサ出力が「０」になるよう出力回路にバイアスを付加する方法や、キャリブレーション実行時のセンサ出力を記録しておき、後の測定時におけるセンサ出力に先に記録したキャリブレーション時の出力値を補正値として付加する方法を採用できる。粒子センサのキャリブレーションや出力測定に際して、適当な積分回路（ローパスフィルタ）を介した測定や、複数サンプルの取得および演算による平均値の採用により、高い周波数のノイズを除去し、測定値の精度を高めるようにすることができるのは言うまでもない。
【００１３】
上記発明において、粒子の捕捉手段としては、以下のようなものを適用できる。すなわち、粒子に磁性体を含む場合には、永久磁石、電磁石等の磁力を利用できる。あるいは、粒子が誘電体、導電体あるいは半導体であって、それが存在する流体が絶縁体である場合には、適当な電荷付与手段を設けて粒子に電荷を付与し、静電力を利用できる。あるいは、流れを構成する物質（流体）を透過し粒子の透過を阻害する濾過手段を捕捉手段として利用できる。この場合、捕捉した粒子の解放は、濾過手段の流れに対する方向を反転することにより行うことができる。あるいは、粒子がガス等の気体である場合には、粒子を選択的に吸着する吸着材を捕捉手段として利用でき、捕捉した粒子の解放は吸着材を加熱することにより行うことができる。
【００１４】
また、上記発明において、粒子センサとしては、以下のようなものが適用できる。すなわち、粒子が導電体または半導体の場合には、粒子センサに誘導素子を適用し、誘導素子または励磁用誘導素子によって発生させた外部交流磁界による導電体または半導体内部の渦電流に起因する前記誘導素子のインダクタンス変化によって、粒子の数または量を計測できる。あるいは、粒子が磁性体である場合には、粒子センサに磁界を発生する磁界発生手段を備え、センサとしてホール素子を適用し、ホール素子が検知する磁界の変動によって、粒子の数または量を計測できる。あるいは、粒子が誘電体である場合には、粒子センサとして容量素子を適用し、容量素子のキャパシタンスの変化によって、粒子の数または量を計測できる。あるいは、粒子センサにレーザー光発生手段および散乱光測定手段を備え、レーザー光が粒子によって散乱された散乱光の強度によって、粒子の数または量を計測することができる。あるいは、粒子がガス状分子である場合、粒子センサとしてガス状分子の数または濃度を計測するガスセンサを適用できる。
【００１５】
以上のとおり、本願発明の粒子計量システムにおいては、各種の粒子捕捉手段および粒子センサを適用することが可能である。しかし、これら捕捉手段およびセンサは、粒子の種類や、流体の容器・配管の材料によってその有効性や適用の可否が相違する。たとえば、常磁性体材料の粒子や磁性体材料の容器・配管には磁気的作用を利用した粒子捕捉手段は適用できないし、導電体材料の容器・配管には静電的作用を利用した粒子捕捉手段は適用できない。また、絶縁体材料の粒子には渦電流を利用した誘導素子によるセンサは適用できない。その他、粒子の捕捉やセンシングの基礎とする物理現象によってそれら捕捉やセンシングが特定の粒子あるいは容器・配管材料で使用できたりできなかったりすることは当業者に容易に理解できるであろう。しかしながら、上記した粒子捕捉手段および粒子センサが、その基礎とする物理現象に即して、特定の粒子材料および容器・配管材料において使用できる限り、これら捕捉手段およびセンサを任意に組合せ、本願の粒子計量システムに適用可能なことは言うまでもない。上記した粒子捕捉手段あるいは粒子センサは単独で用いることも可能であるし、複数の粒子捕捉手段あるいは複数の粒子センサとして組み合わせて適用することも可能である。なお、磁気的、静電的、光学的な捕捉・センシング手法を適用する場合には、粒子および粒子が存在する流体に非接触で粒子の計量が行える。
【００１６】
上記した粒子計量システムにおいては、以下のような粒子計量方法を適用できる。すなわち、本願の他の発明である粒子計量方法は、所定方向への流れを有する液体または気体内に存在する粒子の数または量を測定し、前記流れに抗して前記粒子を一定時間捕捉するとともに所定のタイミングで前記粒子の捕捉を解放する第１の粒子捕捉手段と、前記第１の粒子捕捉手段が配置されている位置よりも前記流れの下流位置に配置されその観測領域にある前記粒子の数または量に応じた出力値を得る粒子センサと、を有する粒子計量システムを用いた粒子計量方法であって、前記第１の粒子捕捉手段により、所定の捕捉時間の間前記粒子を捕捉するステップと、捕捉された前記粒子を解放するステップと、前記粒子の解放の後に、前記粒子センサのキャリブレーションを実行するステップと、前記粒子センサによる測定を開始するステップと、を有する。このような粒子計量方法によれば、粒子を所定の捕捉時間だけ捕捉するため、粒子濃度を高めることが可能になり、粒子の解放後に粒子センサのキャリブレーションを行って粒子の計量を開始するので、粒子解放に伴うノイズの発生を避けると共にセンサのベースライン変動の影響を排除することができる。本発明の構成においては、前記した時間の次元を粒子数（粒子密度）の次元に変換する次元変換の概念が端的に現れる。すなわち時間次元における測定時間（捕捉時間）を長くすることによって観測粒子数（粒子密度という空間的距離の次元）を高め、粒子計量システム全体の感度向上を図るという効果に繋げている。
【００１７】
ここで、前記粒子計量システムには、前記粒子センサの前記観測領域を含む領域に前記粒子を捕捉する第２の粒子捕捉手段を含み、前記第１の粒子捕捉手段による前記粒子の捕捉中または捕捉された前記粒子の解放後であって前記粒子センサのキャリブレーション前に、前記第２の粒子捕捉手段による前記粒子の捕捉を開始するステップを有することができる。このような第２の粒子捕捉手段によって粒子センサの観測領域に粒子を捕捉するようにするため、第１の粒子捕捉手段で濃縮した粒子がその解放によって拡散を開始したとしても、粒子センサの観測領域で再度濃縮されるため、粒子センサの出力を高めることができる。本発明では、第２の粒子捕捉手段の捕捉の開始を粒子センサのキャリブレーション前に行うため、第２の粒子捕捉手段の捕捉操作に伴うノイズの影響を受けることがない。
【００１８】
上記粒子捕捉方法において、前記粒子センサの出力値が所定の閾値以上である場合には、前記出力値または前記出力値から計算された値を表示するステップと、前記粒子センサの出力値が前記所定の閾値未満である場合には、前記捕捉時間をより長く変更し、前記第１の粒子捕捉手段による前記粒子の捕捉からの一連の前記ステップを繰り返すステップと、を有することができる。このような構成を有することにより、粒子計量システムの感度が不足する場合には、時間次元における捕捉時間を長くして粒子計量システムの感度を高めることができる。なお、前記捕捉時間が所定の閾値以上である場合、前記粒子を検出できないと判断することができる。現実的な測定時間内に測定できない場合は本粒子計量システムの測定限界を超えたと判断するものである。
【００１９】
上記した粒子計量システムおよび粒子計量方法は、これをプラントの劣化検知に適用することができる。プラントを構成する配管あるいは反応槽では、その内部にたとえば反応液あるいは冷却液が循環している。これら反応液や冷却液によって配管や反応槽の内壁が削られ劣化する場合があることは一般に知られている。このような循環液によって研削された研削滓は、これを積極的に取り除かない限り、循環液内に拡散され、循環液とともに配管内を循環することになる。本願のプラント劣化検知システムおよび方法は、このように配管内を循環している研削滓を粒子と捉え、研削滓（粒子）の数量の上昇がプラントの劣化度合いを反映しているとの認識を基礎として、上記した粒子計量システムおよび粒子計量方法を適用し、プラントの劣化検知に応用しようとするものである。
【００２０】
その具体的な構成は、以下の通りである。すなわち、本願発明のプラント劣化検知システムは、その内部に流体が流れる配管を有するプラントにおける前記配管または前記プラントの反応槽の劣化を検知するプラント劣化検知システムであって、前記配管の外部に配置され、前記流体の流れに抗して前記配管または前記プラントの反応槽を構成する材料または前記材料の化合物からなる粒子を一定時間捕捉するとともに所定のタイミングで前記粒子の捕捉を解放する第１の粒子捕捉手段と、前記第１の粒子捕捉手段が配置されている位置よりも前記流れの下流位置であって前記配管の外部に配置される、その観測領域にある前記粒子の数または量に応じた出力値を得る粒子センサと、を有する。なお、前記粒子センサの前記観測領域を含む領域に前記粒子を捕捉する第２の粒子捕捉手段をさらに有することができる。
【００２１】
上記プラント劣化検知システムで適用できる粒子捕捉手段および粒子センサは、上記した粒子計量システムの場合と同様である。また、プラント劣化検知システムに適用できるプラント劣化検知方法についても、上記した粒子計量方法と同様である。ただし、プラント劣化検知方法においては、粒子濃度が所定の閾値以上であるか否かを判断すれば足りる。
【００２２】
本願発明で利用する粒子検知手法は極めて低い濃度の粒子を正確に検知することが可能であるため、早い段階でのプラントの劣化を検知することが可能となる。しかも、粒子捕捉手段および粒子センサを適切に選択すれば、粒子検出を非接触で行うことが可能になるため、既に設置されているプラントに、大幅な改造を加えることなくこれを適用できる。また、プラントの設計においても大きな負担を強いることなく、本発明の劣化検知手法を適用することができる。
【発明の効果】
【００２３】
本願発明によれば、粒子捕捉手段で捕捉した粒子の高濃度化の効果を減殺することなく、粒子センサの正確なキャリブレーションを行うに十分な時間を確保できるセンサ配置位置を実現できる。また、流速に依存しない出力値を得ることが可能になる。また、あらゆる材料からなる粒子に適用可能な粒子計量手法を提供できる。さらに、極めて早い段階でプラントの劣化を高精度に検知できるプラント劣化検知システムおよび方法を提供できる。
【発明を実施するための最良の形態】
【００２４】
以下、本発明の実施の形態を図面に基づいて詳細に説明する。まず、本発明の一実施の形態である粒子計量システムについて２例の基本構成を例示し、さらにその２例の基本構成における各構成要素に適用可能な具体的要素を例示する。その後、各具体的要素の基本構成への適用可能性について説明し、ある具体的な構成における粒子計量システムの実際の動作結果について説明する。最後に本粒子計量システムのプラント劣化検知システムへの応用について説明し、各種変更例に言及する。なお、以下説明する図面において、同一の機能を有する部材については同一の符号を使用し、重複した説明は省略するものとする。
【００２５】
１．粒子計量システムの基本構成
１．１  第１構成例
図１は、本発明の一実施の形態である粒子計量システムについてその基本的構成の一例である第１構成例を示したブロック図である。本第１構成例は、粒子計量システムに粒子捕捉手段を１つ設ける例である。本第１構成例の粒子計量システム１０は、第１粒子捕捉手段１１、粒子センサ１２、制御手段１３および表示装置１４を有する。
【００２６】
第１粒子捕捉手段１１は、配管１５の近傍または内部に配置され、制御手段１３の制御によって、配管１５内を矢印１６の方向に流れる流体内に存在する粒子１７を捕捉する機能を持つ。また、捕捉した粒子１７を制御手段１３の制御によって解放する機能を有する。これら機能を実現する手法としては各種の手法がある。たとえば、粒子１７が磁性体である場合には外部磁場を粒子１７に及ぼして磁気的作用により粒子１７を捕捉できる。あるいは、粒子１７に電荷を付与できる場合には、クーロン力を利用して静電吸着することができる。あるいは、機械的、物理的作用により粒子１７を捕捉あるいは吸着することができる。第１粒子捕捉手段１１の具体的な構成については後に説明する。なお、図１では、第１粒子捕捉手段１１は、配管１５の外側に配置されているように図示してあるが、第１粒子捕捉手段１１の具体的構成によっては配管１５の内部にその一部または全部が配置される場合もある。
【００２７】
粒子センサ１２は、配管１５の近傍または内部に配置され、観測領域１８内にある粒子１７の数量を検知する機能を有する。また、粒子センサ１２は、制御手段１３によって制御され、制御手段１３からの制御によりキャリブレーションおよび粒子検知を実行する。粒子１７の検知手法としては各種の手法がある。たとえば、粒子１７が導電体あるいは半導体である場合、外部交流磁場の作用によって粒子１７内に渦電流を発生させ、この渦電流に起因する検知コイルのインダクタンスの変化を計測して粒子１７を検知できる。あるいは、粒子１７が高透磁率材料である場合、外部磁場の変動を計測して粒子１７を検知できる。あるいは、粒子１７が高誘電率材料である場合、検知コンデンサのキャパシタンス変化を計測して粒子１７を検知できる。あるいは粒子１７が光を反射または吸収する材料である場合には、散乱光あるいは透過光を計測して粒子１７を検知できる。あるいは、粒子１７がガスである場合には、ガス吸着によって抵抗率等が変化する物理現象を利用したガスセンサを用いて粒子１７を検知できる。粒子センサ１２の具体的な構成については後に説明する。なお、図１では、粒子センサ１２は、配管１５の外側に配置されているように図示してあるが、粒子センサ１２の具体的構成によっては配管１５の内部にその一部または全部が配置される場合もある。
【００２８】
制御手段１３は、第１粒子捕捉手段１１、粒子センサ１２および表示装置１４を制御する。制御手段１３の具体的な機能および構成は、第１粒子捕捉手段１１および粒子センサ１２や表示装置１４の具体的構成によって相違するものの、基本的には、第１粒子捕捉手段１１に制御信号を発生し、粒子センサ１２から出力信号を受け、受信した出力信号をそのままあるいは濃度換算のための必要な演算を実行した後に表示装置１４に送信する。また、制御手段１３は必要なタイミングで粒子センサ１２のキャリブレーションを実行する。さらに制御手段１３は、必要に応じて第１粒子捕捉手段１１および粒子センサ１２に電源を供給する。従って、制御手段１３には、第１粒子捕捉手段１１への制御信号を生成する信号生成部、粒子センサ１２からの出力信号を受信するセンサ信号受信部、表示装置１４への信号を生成する表示信号生成部、これらを制御する制御論理部、必要に応じて、濃度計算等の演算を行う演算部、電源を供給する電源供給制御部を有する。制御手段１３の具体例としては、後に説明する計量シーケンスを実行できる電子回路ないし論理回路、コンピュータのようなプログラム演算機能を有する情報処理装置を例示できる。
【００２９】
表示装置１４は、制御手段１３からの表示信号を受けて計量結果を表示出力する手段である。具体的には、ＣＲＴモニタ、液晶表示装置等の画像表示装置を例示できる。ただし、計量結果を表示できる限り、画像、文字等による表示には限られない。たとえば、音声によって計量結果を読み上げることが可能であるし、また、計量結果がある閾値を越えたことをビープ音によって報知することも可能である。
【００３０】
配管１５は本粒子計量システム自体を構成するものではないが、その材料物性によっては、前記した第１粒子捕捉手段１１または粒子センサ１２が依拠する物理現象を効果的に発生させることができない場合がある。そのため、配管１５の材料選択は、本粒子計量システムを意図したとおりに動作させる必要上重要である。ただし、第１粒子捕捉手段１１および粒子センサ１２の具体的構成を適切に選択することにより、本粒子計量システム１０は、あらゆる材料の配管１５に適用可能である。何れの配管材料が第１粒子捕捉手段１１あるいは粒子センサ１２のどのような具体的構成において有効あるいは無効であるかは後に説明する。配管１５の計測に及ぼす物性的側面を除けば、その材料や形状は特に限定されない。たとえばステンレス配管、鉄（鋼）配管、塩化ビニルその他各種のプラスチック配管等を例示できる。
【００３１】
粒子１７は、本粒子計量システム１０の計量対象であり、前記のとおり、第１粒子捕捉手段１１および粒子センサ１２が依拠する物理現象によってその材料物性に制限を受ける。ただし、第１粒子捕捉手段１１および粒子センサ１２の具体的構成を適切に選択することにより、本粒子計量システム１０は、あらゆる材料の粒子１７の計測に対応可能となる点は配管１５の場合と同様である。何れの粒子材料が第１粒子捕捉手段１１あるいは粒子センサ１２のどのような具体的構成において有効あるいは無効であるかは後に説明する。本粒子計量システムでは、配管１５自体や配管１５が接続されている内燃機関やプラント等内で機械的磨耗や内部を流れる流体との摩擦により生成される金属粉等の粉体や粒体を想定する。しかし、本発明における粒子１７は粉体や粒体に限られるのもではなく、一般的なガス等の単分子状態、希ガス等の原子状態、さらに、複数分子が凝集したクラスタ状態の物質体を含む概念である。流体内に分散されあるいは均一化されて存在できる物質である限り、本発明の粒子１７の概念に含まれるものとする。
【００３２】
配管１５を流れる流体は、動作状態において液体または気体状態の流動物質である。尤も流体にもいくつかの制約がある。たとえば、磁気的作用を利用して粒子１７を捕捉あるいは検出する場合には、流体は非磁性（常磁性体）である必要がある。また、粒子１７に電荷を付与して静電気作用により粒子１７を捕捉する場合には流体は絶縁体である必要があり、かつ、粒子１７を構成する物質よりもイオン化エネルギーが大きいことが必要である。ただし、第１粒子捕捉手段１１および粒子センサ１２の具体的構成を適切に選択することにより、本粒子計量システム１０は、あらゆる材料の流体に対応可能となる点は配管１５、粒子１７の場合と同様である。具体的な流体として、水、オイル、空気等の絶縁体（誘電体）かつ非磁性体（常磁性体）を例示できる。実用的には、磁気流体（磁性体）や電解質溶液（導電体）が用いられることはあまりないので、本粒子計量システムに適用する流体として水、オイル等の絶縁体かつ非磁性体を想定すれば十分であると考えられる。尤も、水内に塩等のイオン性物質（不純物）が混入した場合には静電的手法による粒子捕捉に問題を生じる可能性がある。
【００３３】
図２は、構成例１の粒子計量システム１０の動作を説明するための模式図であり、（ａ）は、粒子１７が第１粒子捕捉手段１１によって捕捉されている状態を、（ｂ）は、捕捉されていた粒子１７が解放され、粒子センサ１２の観測領域１８まで移動してきた状態を示す。なお図２において、粒子計量システム１０の一部は省略している。
【００３４】
同図（ａ）において、第１粒子捕捉手段１１はＯＮ状態すなわち粒子１７を捕捉する状態にある。配管１５内を矢印１６の方向に流れている流体内には粒子１７が存在し、粒子１７は、第１粒子捕捉手段１１の近傍に到達すると図示するように第１粒子捕捉手段１１の周辺に捕捉される。粒子１７が捕捉状態にあるとき、流れの下流側に配置されている粒子センサ１２の観測領域１８には粒子１７は到達しないか到達したとしてもごくわずかである。
【００３５】
ある程度の量の粒子１７が第１粒子捕捉手段１１に捕捉された後に、第１粒子捕捉手段１１をＯＦＦ状態すなわち粒子１７を解放する状態にする。同図（ｂ）に示すように粒子１７は第１粒子捕捉手段１１からの束縛を離れ、流れに従って流体内を拡散しつつ粒子センサ１２の観測領域１８に到達する。観測領域１８に存在する粒子１７は、その数量に応じた出力信号を粒子センサ１２に出力させる。ここで、粒子１７は、同図（ａ）に示したように第１粒子捕捉手段１１によってある程度濃度が高められているので、通常流体内に存在する濃度よりも高い濃度で観測領域１８に到達する。よって、粒子センサ１２の検出感度を高めなくても、システム全体の粒子検出感度を高めることができる。
【００３６】
図３は、構成例１の粒子計量システム１０の測定方法の一例を示したフローチャートである。第１粒子捕捉手段１１の捕捉状態をＯＮにし（ステップ１９）、所定時間が経過したかを判断する（ステップ２０）。所定時間としてはたとえば１０分を例示できる。所定時間を経過するまではステップ２０を繰り返す。所定時間を経過したと判断した場合には、第１粒子捕捉手段１１の捕捉状態をＯＦＦすなわち解放状態にする（ステップ２１）。その後、粒子センサ１２のキャリブレーションを実行する（ステップ２２）。キャリブレーションを第１粒子捕捉手段１１のＯＦＦ操作の後に行うので、当該操作に伴うノイズの影響を受けることなくキャリブレーションおよび測定を実行できる。次に、粒子センサ１２による測定を実行する（ステップ２３）。測定結果は制御手段１３において濃度換算の計算が行われ、表示装置１４に表示される（ステップ２４）。その後、測定終了かを判断し（ステップ２５）、再度測定を行う場合にはステップ１９からの制御を繰り返し、測定終了の場合は測定を終了する（ステップ２６）。
【００３７】
上記した構成例１の粒子計量システム１０によれば、第１粒子捕捉手段１１で粒子１７の濃度を予め濃縮し、下流に配置した粒子センサ１２によって粒子１７の数量測定を行うので、システムの検知感度を高めることができる。また、第１粒子捕捉手段１１に粒子１７を捕捉している状態および解放直後の状態では、粒子センサ１２の観測領域１８には粒子１７はほとんど存在しない。このため、粒子センサ１２のキャリブレーションを実行して、高感度な粒子センサ１２であってもそのドリフト（ベースライン変動）の影響を除去し、高精度な測定が実現できる。
【００３８】
１．２  第２構成例
図４は、本発明の一実施の形態である粒子計量システムについてその基本的構成の他の例である第２構成例を示したブロック図である。本第２構成例は、粒子計量システムに粒子捕捉手段を２つ設ける例である。本第２構成例の粒子計量システム２７は、第１粒子捕捉手段１１、粒子センサ１２、制御手段１３、表示装置１４および第２粒子捕捉手段２８を有する。第１粒子捕捉手段１１、粒子センサ１２、制御手段１３および表示装置１４は第１構成例の場合と同様であるので説明を省略する。また、配管１５、粒子１７、配管１５内を流れる流体についても構成例１と同様である。
【００３９】
第２粒子捕捉手段２８が有する機能や必要な条件は第１粒子捕捉手段１１と同様である。ただし、第２粒子捕捉手段２８は、粒子センサ１２の観測領域１８において粒子１７が捕捉されるように配置する。構成例２の粒子計量システム２７が第２粒子捕捉手段２８を有することにより、第１粒子捕捉手段１１で捕捉し濃縮した粒子１７を観測領域１８で再度濃縮できるため、構成例１の場合より精密かつ安定な測定を実行できる。
【００４０】
図５は、構成例２の粒子計量システム２７の動作を説明するための模式図であり、（ａ）は、粒子１７が第１粒子捕捉手段１１によって捕捉されている状態を、（ｂ）は、捕捉されていた粒子１７が解放された状態を、（ｃ）は粒子１７が粒子センサ１２の観測領域１８まで移動しかつ第２粒子捕捉手段２８によって捕捉されている状態を示す。なお図５において、粒子計量システム２７の一部は省略している。
【００４１】
同図（ａ）において、第１粒子捕捉手段１１はＯＮ状態すなわち粒子１７を捕捉する状態にある。配管１５内を矢印１６の方向に流れている流体内には粒子１７が存在し、粒子１７は、第１粒子捕捉手段１１の近傍に到達すると図示するように第１粒子捕捉手段１１の周辺に捕捉される。粒子１７が捕捉状態にあるとき、流れの下流側に配置されている粒子センサ１２の観測領域１８には粒子１７は到達しないか到達したとしてもごくわずかである。
【００４２】
ある程度の量の粒子１７が第１粒子捕捉手段１１に捕捉された後に、第１粒子捕捉手段１１をＯＦＦ状態すなわち粒子１７を解放する状態にする。同図（ｂ）に示すように粒子１７は第１粒子捕捉手段１１からの束縛を離れ、流れに従って流体内を拡散する。
【００４３】
粒子センサ１２の観測領域１８に到達した粒子１７は、第２粒子捕捉手段２８によって観測領域１８に捕捉される。観測領域１８に存在する粒子１７は、その数量に応じた出力信号を粒子センサ１２に出力させるが、同図（ｃ）に示すように、粒子１７の密度は非常に高く濃縮されているので、非常に高い粒子センサ１２の出力が期待できる。
【００４４】
すなわち、構成例１の場合は、第１粒子捕捉手段１１で粒子濃度が高められても、粒子１７が観測領域１８に到達した段階では有る程度拡散により濃度が低下した状態になるが、本構成例２では、観測領域１８で再度濃度が高められるので、粒子センサ１２からの高い出力信号が得られる。また、観点を変えて言えば、構成例１の場合、粒子センサ１２の出力レベルを十分高く得るためには、粒子１７が拡散により濃度が低下する前に観測を行う必要がある。このため、粒子センサ１２を第１粒子捕捉手段１１から十分に離して配置することができない。このため、粒子センサ１２のキャリブレーションを行う時間を確保することが困難な場合が発生する。しかし、本構成例２では、第１粒子捕捉手段１１で濃縮した粒子１７が拡散しても、第２粒子捕捉手段２８によって再度濃縮を行うので、拡散によって粒子１７の濃度が低下しても観測領域１８で粒子１７が捕捉される限り構わない。この結果、粒子センサ１２を第１粒子捕捉手段１１から十分に離して配置することが可能となり、粒子センサ１２のキャリブレーションを行う時間を十分に確保することが可能になる。
【００４５】
図６は、構成例２の粒子計量システム２７の測定方法の一例を示したフローチャートである。第１粒子捕捉手段１１の捕捉状態をＯＮにし（ステップ１９）、所定時間が経過したかを判断する（ステップ２０）。所定時間としてはたとえば１０分を例示できる。所定時間を経過するまではステップ２０を繰り返す。所定時間を経過したと判断した場合には、第１粒子捕捉手段１１の捕捉状態をＯＦＦすなわち解放状態にする（ステップ２１）。その後、第２粒子捕捉手段２８をＯＮすなわち捕捉状態にする（ステップ２９）。その後、粒子センサ１２のキャリブレーションを実行する（ステップ２２）。キャリブレーションを第１粒子捕捉手段１１および第２粒子捕捉手段のＯＮ・ＯＦＦ操作の後に行うので、当該操作に伴うノイズの影響を受けることなくキャリブレーションおよび測定を実行できる。次に、粒子センサ１２による測定を実行する（ステップ２３）。測定結果は制御手段１３において濃度換算の計算が行われ、表示装置１４に表示される（ステップ２４）。その後、終始捕捉手段をリセットする（ステップ３０）、その後、測定終了かを判断し（ステップ２５）、再度測定を行う場合にはステップ１９からの制御を繰り返し、測定終了の場合は測定を終了する（ステップ２６）。
【００４６】
上記した構成例２の粒子計量システム２７によれば、第１粒子捕捉手段１１で粒子１７の濃度を予め濃縮し、下流に配置した粒子センサ１２によって粒子１７の数量測定を行う。この測定の際には、第２粒子捕捉手段２８で観測領域１８の粒子１７を再濃縮する。このため、システムの検知感度を、粒子１７の拡散状態に関わらず高めることができる。また、第１粒子捕捉手段１１に粒子１７を捕捉している状態および解放直後の状態では、粒子センサ１２の観測領域１８には粒子１７はほとんど存在しない。このため、粒子センサ１２のキャリブレーションを実行して、高感度な粒子センサ１２であってもそのドリフト（ベースライン変動）の影響を除去し、高精度な測定が実現できる。さらに、第１粒子捕捉手段１１と粒子センサ１２とを十分に離して配置できるため、前記のキャリブレーションを十分正確に行うことができる。
【００４７】
２．具体的構成
２．１  粒子捕捉手段
以下粒子捕捉手段の具体的構成を例示する。なお、以下に説明する具体的構成では、主に粒子捕捉手段が２つ配置された構成（前記第２構成例に対応する）を例示する。しかし、２つの粒子捕捉手段の１つを省略し１つの粒子捕捉手段として適用できるものについては前記第１構成例に適用できることは言うまでもない。また、粒子捕捉手段として単一の粒子捕捉手段を例示している場合には、それが前記第１構成例に適用できることはもとりより、可能な限り二つの粒子捕捉手段として前記第２構成例に適用できることは言うまでもない。
【００４８】
Ａ．電磁石
図７は、粒子捕捉手段の具体的構成を電磁石として構成した場合の一例を示したブロック図である。（ａ）は、第１粒子捕捉手段１１に粒子１７が捕捉されている状態を、（ｂ）は第２粒子捕捉手段２８に粒子１７が捕捉されている状態を示す。本例の電磁石は、鋼鉄等強磁性体の磁心３１にコイル３２を巻きつけた構成を有し、コイル３２への通電は電源制御回路３３によって制御される。電源制御回路３３は制御手段１３の一部である。
【００４９】
本例の電磁石では、第１粒子捕捉手段１１のコイル３２に通電し、第１粒子捕捉手段１１の磁心３１に隣接する配管１５内に粒子１７を捕捉する。また、第２粒子捕捉手段２８のコイル３２に通電し、第２粒子捕捉手段２８の磁心３１に隣接する配管１５内に粒子１７を捕捉する。これらコイル３２への通電の切り替えは電源制御回路３３によって行え、前記した構成例１、２の制御が実行できる。
【００５０】
なお、本例の電磁石で粒子捕捉手段を構成する場合、粒子１７はもとより磁性体である必要がある。その他、配管１５が常磁性体（非磁性体）であることも必要である。本例の電磁石で粒子捕捉手段を構成すれば、粒子１７の濃縮操作を配管１５の外部から非接触で行える利点がある。
【００５１】
Ｂ．ソレノイド式磁石
図８は、粒子捕捉手段の具体的構成をソレノイド式磁石として構成した場合の一例を示したブロック図である。（ａ）は、第１粒子捕捉手段１１に粒子１７が捕捉されている状態を、（ｂ）は第２粒子捕捉手段２８に粒子１７が捕捉されている状態を示す。本例のソレノイド式磁石は、ソレノイド４１と駆動用鉄心４２と駆動用鉄心４２の片辺に備えた永久磁石４３とを有し、駆動用鉄心４２をソレノイド４１の内部に配置する。ソレノイド４１への通電によって駆動用鉄心４２を駆動し、永久磁石４３を配管１５の管壁に接触あるいは非接触として粒子１７の捕捉あるいは解放を制御する。ソレノイド４１への通電は電源制御回路４４によって制御する。電源制御回路４４は制御手段１３の一部である。
【００５２】
本例のソレノイド式磁石では、第１粒子捕捉手段１１のソレノイド４１に通電し、第１粒子捕捉手段１１の永久磁石４３に隣接する配管１５内に粒子１７を捕捉する。また、第２粒子捕捉手段２８のソレノイド４１に通電し、第２粒子捕捉手段２８の永久磁石４３に隣接する配管１５内に粒子１７を捕捉する。これらソレノイド４１への通電の切り替えは電源制御回路４４によって行え、前記した構成例１、２の制御が実行できる。
【００５３】
なお、本例のソレノイド式磁石で粒子捕捉手段を構成する場合、粒子１７はもとより磁性体である必要がある。その他、配管１５が常磁性体（非磁性体）であることも必要である。本例のソレノイド式磁石で粒子捕捉手段を構成すれば、粒子１７の濃縮操作を配管１５の外部から非接触で行える利点がある。
【００５４】
Ｃ．モータ駆動式磁石
図９は、粒子捕捉手段の具体的構成をモータ駆動式磁石として構成した場合の一例を示したブロック図である。（ａ）は、第１粒子捕捉手段１１に粒子１７が捕捉されている状態を、（ｂ）は第２粒子捕捉手段２８に粒子１７が捕捉されている状態を示す。本例のモータ駆動式磁石は、モータ５０とクランク５１とクランク５１の先端に備えた永久磁石５２とを有し、モータ５０を回転駆動することによって永久磁石５２の位置を移動させ、粒子１７の捕捉位置を制御する。モータ５０の回転駆動はモータ制御回路５３によって制御する。モータ制御回路５３は制御手段１３の一部である。
【００５５】
本例のモータ駆動式磁石では、モータ５０を回転駆動し、同図（ａ）に示す位置で永久磁石５２を停止して第１粒子捕捉手段１１の粒子捕捉位置に粒子１７を捕捉する。また、モータ５０を回転駆動し、同図（ｂ）に示す位置で永久磁石５２を停止して第２粒子捕捉手段２８の粒子捕捉位置に粒子１７を捕捉する。モータ５０の回転制御はモータ制御回路５３によって行え、前記した構成例１、２の制御が実行できる。
【００５６】
なお、本例のモータ駆動式磁石で粒子捕捉手段を構成する場合、粒子１７はもとより磁性体である必要がある。その他、配管１５が常磁性体（非磁性体）であることも必要である。本例のモータ駆動式磁石で粒子捕捉手段を構成すれば、粒子１７の濃縮操作を配管１５の外部から非接触で行える利点がある。
【００５７】
Ｄ．荷電集塵方式
図１０は、粒子捕捉手段の具体的構成を荷電集塵方式手段として構成した場合の一例を示したブロック図である。（ａ）は、第１粒子捕捉手段１１に粒子１７'が捕捉されている状態を、（ｂ）は第２粒子捕捉手段２８に粒子１７'が捕捉されている状態を示す。本例の荷電集塵方式手段は、プローブ６１、第１電極６２、第２電極６３、高圧電源６４、制御電源６５、制御回路６６を有する。本例の荷電集塵方式手段では、電流導入端子６７を介して配管１５の内部にプローブ６１を導入し、高圧電源６４からプローブ６１に印加した高電圧（たとえば−１ｋＶ）によって粒子１７にたとえば負電荷を与える。電荷を与えられた粒子１７'は、制御電源６５から第１電極６２あるいは第２電極６３に与えられる電圧によって捕捉されあるいは解放される。制御回路６６は高圧電源６４および制御電源６５を制御し、高圧電源６４、制御電源６５および制御回路６６は制御手段１３の一部である。
【００５８】
本例の荷電集塵方式手段では、高圧電源６４からプローブ６１を介して粒子１７にたとえば負電荷を付与し、制御電源６５によって第１電極６２にたとえば正電圧を印加して第１粒子捕捉手段１１の粒子捕捉位置に粒子１７'を捕捉する。第１粒子捕捉手段１１における粒子１７'の解放は、第１電極６２にたとえば負電圧を印加して行う。また、制御電源６５によって第２電極６３にたとえば正電圧を印加して第２粒子捕捉手段２８の粒子捕捉位置に粒子１７'を捕捉する。第２粒子捕捉手段２８における粒子１７'の解放は、第２電極６３にたとえば負電圧を印加して行う。制御電源６５による第１電極６２および第２電極６３への印加電圧極性によって前記した構成例１、２の制御が実行できる。なお、前記した電荷の極性を正電荷に変更できることは言うまでもない。この場合、捕捉あるいは解放動作における制御電圧の極性を逆にすることは勿論である。
【００５９】
本例の荷電集塵方式手段で粒子捕捉手段を構成する場合、粒子１７は導体、半導体、絶縁体の何れでも構わないが、配管１５内を流れる流体の電離度あるいはイオン化エネルギーより小さいことが必要である。また、流体は絶縁体であることを要し、配管１５は少なくとも前記各部材が配置される領域では絶縁体である必要がある。
【００６０】
Ｅ．メッシュ
図１１は、粒子捕捉手段の具体的構成をメッシュ（網）として構成した場合の一例を示したブロック図である。（ａ）は、第１粒子捕捉手段１１に粒子１７が捕捉されている状態を、（ｂ）は第２粒子捕捉手段２８に粒子１７が捕捉されている状態を示す。メッシュ７０は、回転導入端子７１に固定され、配管１５の外部から回転導入端子７１に回転を与えて流体の流れ１６に対するメッシュ７０の角度を制御する。
【００６１】
本例では、第１粒子捕捉手段１１のメッシュ７０の面を配管１５に流れる流体の流れに対向するように配置して粒子１７を捕捉する。粒子１７の解放は、メッシュ７０の面を回転してその法線が流れの方向に対し垂直（流れと面が平行）になるよう、あるいは、メッシュ７０の面が逆向きになるまで回転して行う。第２粒子捕捉手段２８においても同様に行える。本例の場合、メッシュ７０が粒子１７を捕捉するに十分な細かな目を必要とするが、粒子１７、配管１５および流体の電気的物性、磁気的物性に左右されないメリットがある。
【００６２】
Ｆ．吸着材
図１２は、粒子捕捉手段の具体的構成を吸着材として構成した場合の一例を示したブロック図である。（ａ）は、第１粒子捕捉手段１１に粒子１７が捕捉されている状態を、（ｂ）は第１粒子捕捉手段１１から粒子１７が解放されている状態を示す。本例では、粒子捕捉手段として、吸着材８０とヒータ８１とを有する構成を例示する。吸着材８０は、気体である粒子１７を吸着する性質を有し、ヒータ８１に通電して吸着材８０を加熱することにより、粒子１７を解放する。ヒータ８１はヒータ電源８２によって通電され、ヒータ電源８２は、制御回路８３で制御される。ヒータ電源８２および制御回路８３は制御手段１３の一部である。
【００６３】
本例では、吸着材８０を室温程度に保持することにより粒子１７を吸着し（吸着材の元来有する吸着性能を利用する）、ヒータ８１によって吸着材８０を加熱することによって粒子１７を解放する（吸着物質に熱エネルギーを与えて吸着表面から離脱させる）。吸着材としてはたとえば活性炭を、粒子としては一酸化炭素、ホルムアルデヒド、トルエン、キシレン等の分子状ガス、排ガス中の微粒子物質を例示できる。本例では、粒子１７として分子状あるいはそれに類する程度に微細な粒子であることが要求されるが、粒子１７、配管１５および流体の電気的、磁気的性質に左右されないメリットがある。
【００６４】
２．２  粒子センサ
以下粒子センサの具体的構成を例示する。なお、ここで例示する粒子センサは、単独で用いることも可能であるし、組み合わせて適用することも可能である。
【００６５】
Ａ．渦電流利用方式（１）
図１３は、粒子センサ１２の一例を示したブロック図である。本例の粒子センサ１２は、配管１５に巻き付けたコイル９０と、発振回路９１と、周波数カウンタ９２とを有する。コイル９０は、発振回路９１からの交流電圧（電流）を受けて交流磁界を発生する。観測領域１８に粒子１７が存在すれば、コイル９０からの交流磁界によって粒子１７内に渦電流を発生する。渦電流が発生すると、この渦電流に起因する交流磁界が発生し、コイル９０に影響を及ぼす。このコイル９０への影響はコイル９０のインダクタンス変化として観察され、発振回路９１の共振周波数（発振周波数）を変動させる。この周波数変動が周波数カウンタ９２によって観測され、粒子１７を検知することが可能になる。なお、周波数変動の大きさは粒子１７の量と正相関の関係にあるため、周波数変動量を観測することによって粒子１７の数量を計測できる。
【００６６】
本例の粒子センサ１２では、粒子１７内に渦電流を発生することが要件となるため、粒子１７には導電体または半導体が含まれることが必要である。また、配管１５および流体には観測に必要な量の磁束が透過する必要があるため、強磁性体は好ましくない。本例の粒子センサ１２によれば、配管１５に工作を施すことなく、粒子１７の数量を配管１５の外部から非接触で測定することが可能である。
【００６７】
Ｂ．渦電流利用方式（２）
図１４は、粒子センサ１２の他の例を示したブロック図である。本例の粒子センサ１２は、前記図１３の場合と同様、粒子１７に発生する渦電流を利用する。本例の粒子センサ１２は、配管１５に巻き付けるコイルとして、励磁用コイル１００とセンサコイル１０１および１０２の３つのコイルを有し、発振器１０３、ブリッジ１０４、位相器１０５、増幅器１０６、同期検波器１０７を備える。発振器１０３によって励磁用コイル１００を駆動し、励磁用の交流磁界を発生する。励磁用交流磁界は観測領域１８にある粒子１７に渦電流を発生させる。発生した渦電流は磁界を発生し、この渦電流による磁界はセンサコイル１０１および１０２によって検出される。本例では、励磁用コイル１００を独立に設けているので、励磁電流を大きくして大きな渦電流を発生させることができ、センサの感度を向上することができる。また、センサコイル１０１および１０２はブリッジ１０４によってブリッジ回路を構成し、インピーダンス（インダクタンス）の変化を高感度に検出できる。さらに、発振器からの信号を、位相器１０５を介して同期検波器１０７に伝達し、同期検波器１０７において増幅器１０６により増幅したブリッジ回路の出力を同期検波するので、微少な出力を高感度に検出することが可能である。
【００６８】
本例の粒子センサ１２では、図１３の場合と同様に、粒子１７内に渦電流を発生することが要件となるため、粒子１７には導電体または半導体が含まれることが必要である。また、配管１５および流体には観測に必要な量の磁束が透過する必要があるため、強磁性体は好ましくない。本例の粒子センサ１２によれば、配管１５に工作を施すことなく、粒子１７の数量を配管１５の外部から非接触で測定することが可能である。
【００６９】
Ｃ．ホール素子
図１５は、粒子センサ１２のさらに他の例を示したブロック図である。本例の粒子センサ１２は、ホール素子１１０を有し、磁石１１２および１１３で生成した外部磁場１１４の変動をホール素子１１０によって検出する。ホール素子１１０は、増幅・制御装置１１１によって制御されその出力が増幅される。
【００７０】
本例の場合、粒子１７の透磁率が配管１５内を流れる流体の透磁率と相違すれば、粒子１７の存在により外部磁場１１４に影響を与え、これを検知できる。ただし、外部磁場１１４への影響を大きくするためには、粒子１７の透磁率は大きいことが好ましい。また、外部磁場１１４が観測領域１８に透過するためには、配管１５は常磁性体であることが好ましい。本例の粒子センサ１２によれば、配管１５に工作を施すことなく、粒子１７の数量を配管１５の外部から非接触で測定することが可能である。なお、外部磁場１１４の変動が十分大きく、その検出感度が問題にならない場合には、ホール素子１１０に代えて、適当な磁場変動検出素子（たとえばインダクタンス素子）を用いることもできる。
【００７１】
Ｄ．コンデンサ方式
図１６は、粒子センサ１２のさらに他の例を示したブロック図である。本例の粒子センサ１２は、配管１５を挟む一対の電極１２０および１２１からなるコンデンサを有し、このコンデンサに共振する電圧を印加する発振回路１２２および周波数カウンタ１２３を備える。観測領域１８に存在する粒子１７の誘電率が配管１５内の流体の誘電率と相違するなら、粒子１７の存在はコンデンサのキャパシタンスを変動させ、キャパシタンス変動は発振回路１２２から印加される発振周波数に影響する。よって、この発振周波数の変動を周波数カウンタ１２３で検知すれば、粒子１７の存在が検知できる。なお、周波数変動の大きさは粒子１７の数量と相関関係があるので、周波数変動の大きさによって粒子１７の数量を計測できる。
【００７２】
本例の場合、粒子１７に必要とされる要件は、配管１５内の流体の誘電率との相違である。コンデンサのキャパシタンスを大きく変動させるためには、誘電率の相違が大きいほど好ましい。また、観測領域１８に電束が透過する必要があるから、配管１５および流体は絶縁体である必要がある。本例の粒子センサ１２によれば、配管１５に工作を施すことなく、粒子１７の数量を配管１５の外部から非接触で測定することが可能である。なお、本例のコンデンサに図１４に示すブリッジ回路を適用してキャパシタンスの変動をより高感度に検出するようにすることも勿論可能である。
【００７３】
Ｅ．光学的方式
図１７は、粒子センサ１２のさらに他の例を示したブロック図である。本例の粒子センサ１２は、レーザー発振器１３０、受光素子１３１、増幅器１３２を有し、レーザー発振器１３０で生成したレーザー光１３３を配管１５に設けた光学窓１３４を透して観測領域１８に照射する。観測領域１８に粒子１７が存在すれば、散乱光１３５を生じる。散乱光１３５は光学窓１３４を透して配管１５の外部に取り出し、光学系１３６を介して受光素子１３１によって検知できる。散乱光強度は粒子１７の量に正相関するため、受光素子１３１の出力（増幅器１３２の出力）によって粒子１７の数量を計測できる。
【００７４】
本例の場合、粒子１７に必要とされる要件は、配管１５内の流体との屈折率の相違である。さらに、流体は、レーザー光１３３を透過する必要がある。本例の粒子センサ１２によれば、粒子１７の屈折率を除く物性は特に問題とならない利点がある。また、配管１５には光学窓１３４を設けるので、その材質に制限はない。なお、配管１５自体がレーザー光１３３を透過するものであれば、光学窓１３４は必要ではない。
【００７５】
なお、ここではレーザー光１３３の散乱光１３５を計測する例を示したが、レーザー光１３３の透過率を測定することも可能である。この場合、粒子１７はレーザー光１３３の波長の光を吸収する物質である必要がある。なお、粒子１７に当該波長の吸収帯がない場合であっても、レーザー光を用いれば、２光子吸収を利用して光透過率測定を行うことが可能な場合がある。また、光吸収を用いた測定の場合、光源はレーザーである必要はない、インコヒーレント光を用いて粒子１７の光吸収を測定することも可能である。光吸収測定を行う場合、受光素子は光源に対向する位置に配置することは言うまでもない。
【００７６】
Ｆ．ガスセンサ
図１８は、粒子センサ１２のさらに他の例を示したブロック図である。本例の粒子センサ１２は、配管１５の内部にガスセンサ１４０を配置する構成である。ガスセンサ１４０は電流導入端子１４２を介してセンサ検知駆動回路１４１に接続される。本例の場合、配管１５内の粒子１７としてガスが存在する場合、粒子１７を適切に計測できる。ガスセンサ１４０は、計測対象のガスによって適切に選択され、たとえば粒子１７がホルムアルデヒド、トルエン、キシレン等の不飽和炭化水素系ガスの場合、たとえば熱線型半導体ガスセンサを例示できる。粒子１７がたとえば一酸化炭素の場合には、定電位電解式ガスセンサが利用できる。
【００７７】
３．具体的構成例の基本構成への適用
上記した粒子捕捉手段および粒子センサの具体的構成を適宜選択して上記した構成例１あるいは構成例２の粒子計量システムに適用することが可能である。ただし、粒子１７、配管１５および流体の物性によって、適用できない具体的構成が存在する。以下、その適用の可否について説明する。
【００７８】
前記した粒子センサ１２は、その基礎とする物理現象によって５つに分類することが可能である。すなわち、粒子１７に発生する渦電流を利用して計測する方式（以下「Ｉｗ方式」とする）、粒子１７の存在によって影響を受ける外部磁場の変動を計測する方式（以下「Ｍｇ方式」とする）、粒子１７の存在によって影響を受けるキャパシタンス変動を計測する方式（以下「Ｃａｐ方式」とする）、光学的方式（以下「Ｐｈｏ方式」とする）、ガスセンサを用いる方式（以下「Ｇａｓ方式」とする）、である。
【００７９】
Ｉｗ方式は、観測領域１８に交流磁界が到達すること、粒子１７に電流が流れることが要件となることから、粒子１７は絶縁体であってはならず、配管１５および流体は常磁性体であることが必要である。
【００８０】
Ｍｇ方式は、外部磁界が観測領域１８に到達すること、粒子１７の存在によって外部磁界が影響を受けることが必要である。よって、Ｍｇ方式では、粒子１７と流体は透磁率が相違する必要があり、配管１５は常磁性体であることが必要である。流体が常磁性体である場合には、粒子１７は透磁率が相違する限り常磁性体であっても構わないが、外部磁界への影響（信号）が強いほど好ましいため、粒子１７は強磁性体（フェリ磁性またはフェロ磁性）であることが好ましい。
【００８１】
Ｃａｐ方式は、観測領域１８に電束が到達すること、粒子１７の存在によってキャパシタンスが変化することが必要である。よって、Ｃａｐ方式では、配管１５および流体は絶縁体である必要がある。また、粒子１７と流体とは誘電率が相違する必要があるが誘電率の定義から粒子１７は導電体であってはならない。
【００８２】
Ｐｈｏ方式は、観測領域１８に光が到達すること、粒子１７の存在によって光が散乱（反射）または吸収されることが必要である。よって、Ｐｈｏ方式では、配管１５および流体は光透過性でなくてはならず、粒子１７と流体との屈折率が相違することまたは粒子１７が光吸収率を有することが必要である。なお、配管１５に光学窓を設ける場合には配管１５の材質が問題になることはない。また、粒子１７と流体との間には界面を有するため、屈折率が極めて高い精度で一致しない限り粒子１７の屈折率が問題になることはない。よって、Ｐｈｏ方式では、流体に光透過性が要求される他は粒子１７および配管１５に大きな制約はない。
【００８３】
Ｇａｓ方式は、センサの感度が観測対象の粒子１７（ガス）にあることが必要である。観測対象のガスに適合するガスセンサを選択する限り粒子１７、配管１５および流体に制限はない。
【００８４】
前記した粒子捕捉手段についても、その基礎とする物理によって４つに分類することが可能である。すなわち、粒子を磁気的作用で捕捉する方式（以下「Ｍｇ方式」とする）、静電的作用で捕捉する方式（以下「Ｅｌｅ方式」とする）、物理的作用で捕捉する方式（以下「Ｍｅ方式」とする）、吸着方式で捕捉する方式（以下「Ａｄｓ方式」とする）、である。
【００８５】
Ｍｇ方式は、粒子１７まで磁界が到達する必要があり、粒子１７が磁気的作用によって引力を受ける必要があるから、粒子１７は強磁性体であり、配管１５および流体は常磁性体である必要がある。
【００８６】
Ｅｌｅ方式では、粒子１７まで電界が到達し、粒子１７に電荷が付与できる必要があるから、粒子１７の電気的性質は問われないものの、配管１５および流体は絶縁体である必要がある。
【００８７】
Ｍｅ方式では、粒子１７が機械的に捕捉されれば足りる。よって、粒子１７、配管１５および流体の電気的磁気的性質に制限はない。一方Ａｄｓ方式においても粒子１７、配管１５および流体の電気的磁気的性質に制限はない。ただし、粒子１７はガスまたはこれに準じる程度に微細な粉粒体である必要がある。
【００８８】
上記した各方式における粒子センサおよび粒子捕捉手段が、粒子１７および配管１５の物性によって適用可能か否かを纏めたのが図１９に示す表図である。図１９は、本実施の形態における粒子センサおよび粒子捕捉手段の各具体的手段が粒子１７および配管１５の物性によって適用可能か否かを纏めた表図である。なお、同表図において、流体は絶縁体かつ常磁性体とした。流体が磁性流体の場合あるいは導電体（電解質）の場合であっても、前記した粒子センサおよび粒子捕捉手段の具体的構成が適用可能な場合があることは勿論である。しかし、多くの場合、流体として水あるいはオイルのように絶縁体かつ常磁性体が適用されるであろうから、これらの場合を想定して当該表図を作成したものである。
【００８９】
同図において、「○」は適用可、「×」は適用不可、「△」は適用可能ではあるが他の手段の選択が好ましいもの、を示す。同図に示すように、粒子１７および配管１５の何れの組合せにおいても、粒子センサおよび粒子捕捉手段として前記した何れかの方式の具体的構成を選択することによって、構成例１あるいは構成例２の粒子計量システムが実現できる。
【００９０】
本実施の形態の粒子計量システムによれば、極めて密度の小さい粒子１７を高精度に計測することが可能である。これは、第１粒子捕捉手段１１によって粒子１７を捕捉し予めその密度を高めた後に粒子センサ１２で計測することによって実現される。なお、ここで粒子センサ１２としてベースライン変動が無視できないような高感度センサを用いたとしても、粒子捕捉手段１１によって粒子１７を捕捉する限りその状態では粒子１７はセンサの観測領域１８に存在しない、あるいは存在したとしてもごく微量であるため、粒子センサ１２のキャリブレーションを実施することが可能である。
【００９１】
本実施の形態の特に構成例２の粒子計量システムによれば、前記した効果に加えて、粒子センサ１２のキャリブレーションを確実に行うことが可能になる効果がある。つまり、センサのキャリブレーションの際には、粒子１７の捕捉および解放操作に伴うノイズの混入を回避するために、第１粒子捕捉手段１１での粒子解放操作を行った後にキャリブレーションを実行する必要がある。ここで、粒子１７が観測領域１８に到達するまでにキャリブレーションを完了できれば良いがそうでない場合、キャリブレーションの確度が低下する恐れがある（キャリブレーションの途中で有る程度の粒子が観測領域に到達してしまう）。キャリブレーションの確度を高めようとすれば第１粒子捕捉手段１１と粒子センサ１２とを十分離して配置する必要があるがあまりに離しすぎると第１粒子捕捉手段１１で濃縮した粒子１７が観測領域１８に到達するまでに拡散して粒子濃縮の効果が低下してしまう。そこで、構成例２では第２粒子捕捉手段２８を設けて粒子１７が拡散したとしても再度これを濃縮する手段を備えたものである。この結果、第１粒子捕捉手段１１と粒子センサ１２との間の距離を十分に長くしてキャリブレーションのための時間を確保することが可能になる。
【００９２】
また、構成例２の粒子計量システムでは、粒子１７が拡散したとしても、第２粒子捕捉手段２８によって観測領域１８に粒子１７を再度集めるので、拡散の影響を排除できる。これは流体の流速によって観測結果が影響されず、安定した測定が可能であることを意味する。
【００９３】
図２０は、本実施の形態の粒子計量システムによって実際に粒子計量を行った結果を示すグラフである。図２０において縦軸はセンサ出力（任意スケール）、横軸は時間（任意スケール）である。ライン１５０は、構成例２の粒子計量システムによる実験結果であり、ライン１５１は構成例１の粒子計量システムによる実験結果である。なお、粒子センサ１２としては前記したＢ．渦電流利用方式（２）の具体的構成を適用し、粒子捕捉手段としては前記したＢ．ソレノイド式磁石の具体的構成を適用した。配管１５はビニール配管を、流体としてエンジンオイルを、粒子１７としては鉄粉を用いた。エンジンオイル内の鉄粉濃度は５０ｐｐｍとした。また、第１粒子捕捉手段１１での捕捉時間は１０分である。時刻ｔ１で第１粒子捕捉手段１１での粒子解放操作を行う（構成例２の場合同時に第２粒子捕捉手段２８の捕捉を開始する）。ライン１５２はベースラインの変動を示す。
【００９４】
図示するように、ライン１５０（構成例２の場合）の信号レベル（矢印１５３で示す幅）は、ライン１５１（構成例１の場合）の信号レベル（矢印１５４で示す幅）より格段に大きい。すなわち、構成例２では大きな信号レベルが得られる。ライン１５１でも勿論測定は可能であるが、ベースライン変動が大きくなれば信号がベースライン変動に埋もれてしまう可能性もある。より安定な測定のためには信号レベルの大きい構成例２が好ましいことがわかる。
【００９５】
以上、本発明を具体的に説明したが、本発明は前記実施の形態に限定されるものではなく、その要旨を逸脱しない範囲で種々変更可能であることは言うまでもない。たとえば、前記実施の形態における粒子計量システムの測定方法を図２１に示すように変更することも可能である。すなわち、粒子センサによる測定（ステップ２３）の後、測定値が閾値（測定閾値）以上であるかを判断する（ステップ１６０）。測定値が測定閾値以上であると判断した場合には図６（図３）の場合と同様に濃度計算を行ってさらに結果を表示する（ステップ２４）。しかし測定値が測定閾値以上でないと判断した場合には、捕捉時間が閾値（捕捉時間閾値）以上であるかを判断し（ステップ１６１）、捕捉時間が捕捉時間閾値を越えていないと判断した場合には捕捉時間を増加して（ステップ１６２）測定を繰り返す。一方、捕捉時間が捕捉時間閾値以上である場合には粒子が検出できないと判断して検出濃度を０とする（ステップ１６３）。このような方法により、捕捉時間を最適化することが可能になる。
【００９６】
また、上記した実施の形態の粒子計量システムは、図２２に示すようなプラント１７０の劣化検査に応用することができる。すなわち、プラント１７０にフランジ１７１で接続されている配管１７２に上記した粒子計量システムを配置する。なお、同図では構成例２の場合を例示しているが構成例１の粒子計量システムでもよいことは言うまでもない。
【００９７】
プラント１７０内の反応槽あるいは配管には通常流体が常時還流し、プラント内の反応によってあるいは還流する流体自体によってその反応槽や配管の内部が研削される。これら研削物は粒子として還流液体内に存在することになる。この研削された粒子濃度をモニタすることによってプラントの劣化状態をモニタすることができる。原子力発電等のプラントにおいては冷却水等が高温高圧状態で長期間還流されており、その使用状態が過酷であって配管等の部材に係る負荷が大きいにも関わらずその安全性が重視されなければならない。これらプラントの劣化モニタとして本粒子計量システムを適用すれば、ごく微量の研削粒子が高感度に検出できるので早い段階での劣化検出が可能になる。また、粒子捕捉手段および粒子センサを適切に選択すれば、粒子密度を配管の外部から非接触で計量できるため、劣化モニタのためのプラントの改造等を行う必要がない。プラントの稼動状況に関わらず劣化モニタとして適用できるため、連続運転を前提とするようなプラントに適用して大きな効果が得られる。
【産業上の利用可能性】
【００９８】
本願発明は、流体内に存在する低濃度の粒子を検出するシステムおよび方法に関する発明であり、工業計測全般およびプラントやエンジンの劣化モニタの分野に適用することが可能な発明である。
【図面の簡単な説明】
【００９９】
【図１】本発明の一実施の形態である粒子計量システムについてその基本的構成の一例である第１構成例を示したブロック図である。
【図２】構成例１の粒子計量システム１０の動作を説明するための模式図であり、（ａ）は、粒子１７が第１粒子捕捉手段１１によって捕捉されている状態を、（ｂ）は、捕捉されていた粒子１７が解放され、粒子センサ１２の観測領域１８まで移動してきた状態を示す。
【図３】構成例１の粒子計量システム１０の測定方法の一例を示したフローチャートである。
【図４】本発明の一実施の形態である粒子計量システムについてその基本的構成の他の例である第２構成例を示したブロック図である。
【図５】構成例２の粒子計量システム２７の動作を説明するための模式図であり、（ａ）は、粒子１７が第１粒子捕捉手段１１によって捕捉されている状態を、（ｂ）は、捕捉されていた粒子１７が解放され、粒子センサ１２の観測領域１８まで移動してきた状態を示す。
【図６】構成例２の粒子計量システム２７の測定方法の一例を示したフローチャートである。
【図７】粒子捕捉手段の具体的構成を電磁石として構成した場合の一例を示したブロック図である。
【図８】粒子捕捉手段の具体的構成をソレノイド式磁石として構成した場合の一例を示したブロック図である。
【図９】粒子捕捉手段の具体的構成をモータ駆動式磁石として構成した場合の一例を示したブロック図である。
【図１０】粒子捕捉手段の具体的構成を荷電集塵方式手段として構成した場合の一例を示したブロック図である。
【図１１】粒子捕捉手段の具体的構成をメッシュ（網）として構成した場合の一例を示したブロック図である。
【図１２】粒子捕捉手段の具体的構成を吸着材として構成した場合の一例を示したブロック図である。
【図１３】粒子センサ１２の一例を示したブロック図である。
【図１４】粒子センサ１２の他の例を示したブロック図である。
【図１５】粒子センサ１２のさらに他の例を示したブロック図である。
【図１６】粒子センサ１２のさらに他の例を示したブロック図である。
【図１７】粒子センサ１２のさらに他の例を示したブロック図である。
【図１８】粒子センサ１２のさらに他の例を示したブロック図である。
【図１９】本実施の形態における粒子センサおよび粒子捕捉手段の各具体的手段が粒子１７および配管１５の物性によって適用可能か否かを纏めた表図である。
【図２０】本発明の一実施の形態である粒子計量システムによって実際に粒子計量を行った結果を示すグラフである。
【図２１】粒子計量システムの測定方法の他の例を示したフローチャートである。
【図２２】粒子計量システムをプラントに適用した場合の一例を示すブロック図である。
【符号の説明】
【０１００】
１０…粒子計量システム、１１…第１粒子捕捉手段、１２…粒子センサ、１３…制御手段、１４…表示装置、１５…配管、１７…粒子、１８…観測領域、２７…粒子計量システム、２８…第２粒子捕捉手段、３１…磁心、３２…コイル、３３…電源制御回路、４１…ソレノイド、４２…駆動用鉄心、４３…永久磁石、４４…電源制御回路、５０…モータ、５１…クランク、５２…永久磁石、５３…モータ制御回路、６１…プローブ、６２…第１電極、６３…第２電極、６４…高圧電源、６５…制御電源、６６…制御回路、６７…電流導入端子、７０…メッシュ、７１…回転導入端子、８０…吸着材、８１…ヒータ、８２…ヒータ電源、８３…制御回路、９０…コイル、９１…発振回路、９２…周波数カウンタ、１００…励磁用コイル、１０１，１０２…センサコイル、１０３…発振器、１０４…ブリッジ、１０５…位相器、１０６…増幅器、１０７…同期検波器、１１０…ホール素子、１１１…増幅・制御装置、１１２，１１３…磁石、１１４…外部磁場、１２０，１２１…電極、１２２…発振回路、１２３…周波数カウンタ、１３０…レーザー発振器、１３１…受光素子、１３２…増幅器、１３３…レーザー光、１３４…光学窓、１３５…散乱光、１３６…光学系、１４０…ガスセンサ、１４１…センサ検知駆動回路、１４２…電流導入端子、１７０…プラント、１７１…フランジ、１７２…配管。
【図１】
2006118890.tif 000003
【図２】
2006118890.tif 000004
【図３】
2006118890.tif 000005
【図４】
2006118890.tif 000006
【図５】
2006118890.tif 000007
【図６】
2006118890.tif 000008
【図７】
2006118890.tif 000009
【図８】
2006118890.tif 000010
【図９】
2006118890.tif 000011
【図１０】
2006118890.tif 000012
【図１１】
2006118890.tif 000013
【図１２】
2006118890.tif 000014
【図１３】
2006118890.tif 000015
【図１４】
2006118890.tif 000016
【図１５】
2006118890.tif 000017
【図１６】
2006118890.tif 000018
【図１７】
2006118890.tif 000019
【図１８】
2006118890.tif 000020
【図１９】
2006118890.tif 000021
【図２０】
2006118890.tif 000022
【図２１】
2006118890.tif 000023
【図２２】
2006118890.tif 000024